(57)【要約】【課題】本願発明の課題は、従来技術が抱える問題を解決することであり、すなわち溶接作業を行うことなく、容易な作業でサッシ窓等を設置することができ、しかも従来に比して短い作業期間でサッシ窓等を設置することができる方法を提供することである。【解決手段】本願発明の開口部取付体設置方法は、伸長可能な調整装置を用いて構造躯体に開口部取付体を設置する方法であって、開口部取付体配置工程と開口部取付体位置調整工程を備えた方法である。このうち開口部取付体配置工程では、構造躯体の開口部に開口部取付体を配置するとともに、開口部取付体の外周枠と構造躯体との間に複数の調整装置を配置する。また開口部取付体位置調整工程では、開口部取付体の上方、下方、左方及び右方に配置された調整装置を伸長することで開口部取付体の位置を調整する。【選択図】図３
2020200646.tif 000002
【特許請求の範囲】
【請求項１】
伸長可能な調整装置を用いて、構造躯体に開口部取付体を設置する方法であって、
前記構造躯体の開口部に前記開口部取付体を配置するとともに、該開口部取付体の外周枠と該構造躯体との間に複数の前記調整装置を配置する開口部取付体配置工程と、
前記開口部取付体の上方及び下方に配置された前記調整装置のうち両方又は一方の該調整装置を伸長することで該開口部取付体の上下位置を調整するとともに、該開口部取付体の左方及び右方に配置された前記調整装置のうち両方又は一方の該調整装置を伸長することで該開口部取付体の左右位置を調整する開口部取付体位置調整工程と、を備え、
周囲の前記調整装置によって、前記開口部取付体が構造躯体に固定される、
ことを特徴とする開口部取付体設置方法。
【請求項２】
前記調整装置は、平行又は略平行となるように両端に配置された２つの板状の当接板を具備するとともに、２つの該当接板の間隔が広がる構造であり、
前記開口部取付体配置工程では、一方の前記当接板を前記外周枠に当接するとともに、他方の前記当接板を前記構造躯体に当接し、
前記開口部取付体位置調整工程では、２つの前記当接板を前記外周枠及び前記構造躯体に当接した状態で２つの該当接板の間隔を広げることによって、前記開口部取付体の位置を調整する、
ことを特徴とする請求項１記載の開口部取付体設置方法。
【請求項３】
前記開口部取付体配置工程では、前記当接板を前記外周枠及び／又は前記構造躯体に接着固定する、
ことを特徴とする請求項２記載の開口部取付体設置方法。
【請求項４】
前記調整装置は、第１構成体と第２構成体を含み、
前記第１構成体は、軸に沿って複数の鋸歯が設けられた第１軸部材と、該第１軸部材の起点端に固定された第１当接板と、を有し、
前記第２構成体は、嵌合突起が設けられた第２軸部材と、該第２軸部材の一端に固定された第２当接板と、を有し、
前記第１軸部材の前記起点端から離れる方向には前記嵌合突起が前記鋸歯間を移動することができ、且つ該起点端に近づく方向には該嵌合突起の移動が妨げられ、
前記嵌合突起が複数の前記鋸歯間を移動しながら、前記第２軸部材が前記第１軸部材に沿って移動することで、前記第１当接板と前記第２当接板の間隔が広がる、
ことを特徴とする請求項２又は請求項３記載の開口部取付体設置方法。
【請求項５】
前記調整装置が、伸縮可能であって伸長状態を維持し得るジャッキである、
ことを特徴とする請求項１乃至請求項３のいずれかに記載の開口部取付体設置方法。
【請求項６】
躯体係止具と取付体係止具を緊結することによって、構造躯体に開口部取付体を設置する方法であって、
前記構造躯体に固定された前記躯体係止具と、前記開口部取付体の外周枠に固定された前記取付体係止具と、が一部重なるように、前記構造躯体の開口部に前記開口部取付体を配置する開口部取付体配置工程と、
紐状又は帯状の緊結材を用いて、前記躯体係止具と前記取付体係止具を緊結する緊結工程と、を備え、
周囲の前記取付体係止具が前記躯体係止具に緊結されることによって、前記開口部取付体が構造躯体に固定される、
ことを特徴とする開口部取付体設置方法。
【請求項７】
前記緊結工程では、前記緊結材に接着剤を塗布したうえで、前記躯体係止具と前記取付体係止具を緊結する、
ことを特徴とする請求項６記載の開口部取付体設置方法。
【請求項８】
前記緊結工程では、前記躯体係止具と前記取付体係止具を前記緊結材で緊結した後に、該緊結材に接着剤を注入又は含浸する、
ことを特徴とする請求項６又は請求項７記載の開口部取付体設置方法。
【請求項９】
前記構造躯体に設けられた面状の躯体側接着面に、前記躯体係止具が具備する面状の係止具側接着面を、接着固定する躯体係止具固定工程を、さらに備えた、
ことを特徴とする請求項６乃至請求項８のいずれかに記載の開口部取付体設置方法。
【発明の詳細な説明】
【技術分野】
【０００１】
本願発明は、サッシ窓や扉、シャッター、間仕切壁などの設置方法に関するものであり、より具体的には、従来多用されていた溶接作業を必要としないサッシ窓等の設置方法に関するものである。
【背景技術】
【０００２】
構造躯体の開口部には、当該開口部を開閉するため、あるいは閉鎖するために、サッシ窓や扉、シャッターといった開閉用の面状部材、もしくは間仕切壁といった閉鎖用の面状部材（以下、これらの面状部材を総称して「開口部取付体」という。）が設置される。従来、構造躯体の開口部に開口部取付体を設置するにあたっては、溶接工法を採用するのが主流であった。この溶接工法は、コンクリート造の構造躯体にあらかじめ設置された埋込みアンカーと、開口部取付体の外周枠に取り付けられた連結筋とを現場溶接することによって、開口部取付体を構造躯体に設置する手法である。
【０００３】
溶接による接合は、接合しようとする２つの鋼材（母材）を溶かして合わせることによって、あるいはさらに同質の鋼材（溶加材）を溶かして添加することで２つの部材を接合するものである。溶接接合には、ガス溶接や電子ビーム溶接、レーザー溶接などの種類があるが、最も多用されているのはアーク溶接である。このアーク溶接は、わずかに離れた電極間に電位差を与えてアークを発生させ、空中放電のアークによって生じた熱で母材や溶加材を溶かす方法であり、具体的には、電極の一端を接続した母材に、電極他端が接続された溶接棒（溶加材）を接近させることによって白熱のアーク（アーク光）を発生させ、アークの熱によって母材が溶融するとともに、溶接棒から溶け出した溶融鋼が母材に添加されて接合される。
【０００４】
アーク溶接には、アーク溶接機をはじめ、溶接棒を保持する手溶接トーチや、アーク光から作業者の目を保護する溶接面などが必要であり、またアーク溶接機は電源を必要とすることから、キャプタイヤコードやキャプタイヤドラムなども必要となる。このようにアーク溶接を行うためには、様々な道具を用意する必要があり、しかも溶接個所を変えるたびにこれらの道具を移動しなければならない。特にアーク溶接機はその重量が比較的大きい（小型のものでも５０ｋｇ程度）ことから、これを移動するには相当の労力と時間を必要とし、またこれに伴うキャプタイヤコードの引き回しも相当に手間がかかる作業である。
【０００５】
さらにアーク溶接は、極めて繊細な作業であり、特別な教育を受けた者でなければその作業を行うことができず、これに加えて通常は相当の経験を有する者が担当する。すなわちアーク溶接は、多くの道具を移動するなど作業手間が掛かり、また作業者が限定的であるという問題を抱えている。そのうえ、溶接作業は火気を伴うため、構造躯体内に引火しやすい物を保管しているなど火気を敬遠している施設ではこの作業を行うことができず、また稼働中の生産施設では生産工程に影響を及ぼすためやはり溶接作業は採用し難いといった問題も指摘できる。
【０００６】
このような背景のもと、溶接作業を行うことなく開口部取付体を構造躯体に設置する有効な手法が求められており、これまでにも無溶接による種々の設置手法が提案されている。例えば特許文献１では、形状が自在に変化する蛇腹式の連結部材を利用し、この連結部材の先端を躯体内の凹部に挿入したうえで、連結部材内に硬化剤を注入するとともに、連結部材を通じて硬化剤を凹部に充填することによって、サッシ枠を躯体に取り付ける技術について提案している。
【先行技術文献】
【特許文献】
【０００７】
【特許文献１】特開２０１４−１６３２０８号公報
【発明の概要】
【発明が解決しようとする課題】
【０００８】
特許文献１で提案される技術は、溶接作業を行う必要がないことから、溶接に伴う様々な問題を回避することができる。その一方で、硬化剤注入口から連結部材内に硬化剤を注入するという繊細かつ煩雑な作業が必要であり、しかも連結部材内の硬化剤や躯体の凹部内の硬化剤が硬化するまで次工程に進めない、すなわち開口部取付体の設置にかかる作業期間が長引くといった問題を抱えている。
【０００９】
本願発明の課題は、従来技術が抱える問題を解決することであり、すなわち溶接作業を行うことなく、容易な作業で開口部取付体を設置することができ、しかも従来に比して短い作業期間で開口部取付体を設置することができる開口部取付体設置方法を提供することである。
【課題を解決するための手段】
【００１０】
本願発明は、躯体係止具と取付体係止具を緊結するための緊結材、あるいは伸長可能な調整装置を利用して構造躯体に開口部取付体を設置する、という点に着目してなされたものであり、これまでにない発想に基づいて行われたものである。
【００１１】
本願発明の開口部取付体設置方法は、伸長可能な調整装置を用いて構造躯体に開口部取付体を設置する方法であって、開口部取付体配置工程と開口部取付体位置調整工程を備えた方法である。このうち開口部取付体配置工程では、構造躯体の開口部に開口部取付体を配置するとともに、開口部取付体の外周枠と構造躯体との間に複数の調整装置を配置する。また開口部取付体位置調整工程では、開口部取付体の上方及び下方に配置された調整装置のうち両方（上方及び下方）又は一方（上方あるいは下方）の調整装置を伸長することで開口部取付体の上下位置を調整するとともに、開口部取付体の左方及び右方に配置された調整装置のうち両方（上方及び下方）又は一方（上方あるいは下方）の調整装置を伸長することで開口部取付体の左右位置を調整する。そして、周囲の調整装置によって開口部取付体が構造躯体に固定されるわけである。
【００１２】
本願発明の開口部取付体設置方法は、２つの板状の当接板を具備する調整装置を用いて構造躯体に開口部取付体を設置する方法とすることもできる。この場合の調整装置は、略平行（平行含む）となるように両端に配置された２つの当接板の間隔が広がる構造である。またこの場合の開口部取付体配置工程では、一方の当接板を外周枠に当接するとともに、他方の当接板を構造躯体に当接し、開口部取付体位置調整工程では、２つの当接板を外周枠及び構造躯体に当接した状態で２つの当接板の間隔を広げることによって、開口部取付体の位置を調整する。
【００１３】
本願発明の開口部取付体設置方法は、当接板を外周枠又は構造躯体（あるいは外周枠及び構造躯体）に接着固定する方法とすることもできる。
【００１４】
本願発明の開口部取付体設置方法は、第１構成体と第２構成体を含んで構成される調整装置を用いて構造躯体に開口部取付体を設置する方法とすることもできる。この第１構成体は、軸に沿って複数の鋸歯が設けられた第１軸部材と、第１軸部材の起点端に固定された第１当接板を有するものであり、一方の第２構成体は、嵌合突起が設けられた第２軸部材と、第２軸部材の一端に固定された第２当接板を有するものである。この場合の調整装置は、第１軸部材の起点端から離れる方向には嵌合突起が鋸歯間を移動することができるものの、起点端に近づく方向には嵌合突起の移動が妨げられる構造である。そして、嵌合突起が複数の鋸歯間を移動しながら第２軸部材が第１軸部材に沿って移動することで、第１当接板と第２当接板の間隔が広がる。
【００１５】
本願発明の開口部取付体設置方法は、調整装置としてジャッキを利用した方法とすることもできる。なおジャッキは、伸縮可能であって伸長状態を維持し得るものである。
【００１６】
本願発明の開口部取付体設置方法は、躯体係止具と取付体係止具を緊結することによって、構造躯体に開口部取付体を設置する方法とすることもできる。この場合の開口部取付体配置工程では、構造躯体に固定された躯体係止具と、開口部取付体の外周枠に固定された取付体係止具が一部重なるように、開口部取付体を構造躯体の開口部に配置する。また、紐状又は帯状の緊結材を用いて、躯体係止具と取付体係止具を緊結する緊結工程も行われる。そして、周囲の取付体係止具が躯体係止具に緊結されることによって、開口部取付体が構造躯体に固定されるわけである。
【００１７】
本願発明の開口部取付体設置方法は、緊結材に接着剤を塗布したうえで躯体係止具と取付体係止具を緊結する方法とすることもできる。
【００１８】
本願発明の開口部取付体設置方法は、躯体係止具と取付体係止具を緊結材で緊結したうえで緊結材に接着剤を注入する（あるいは含浸させる）方法とすることもできる。
【００１９】
本願発明の開口部取付体設置方法は、開口部取付体配置工程と緊結工程に加え躯体係止具固定工程をさらに備えた方法とすることもできる。この躯体係止具固定工程では、構造躯体に設けられた面状の躯体側接着面に、躯体係止具が具備する面状の係止具側接着面を接着固定する。
【発明の効果】
【００２０】
本願発明の開口部取付体設置方法には、次のような効果がある。
（１）溶接を必要としないことから、アーク溶接機の移動やキャプタイヤコードの引き回しといった作業を回避することができ、すなわち作業者の負担を軽減できるとともに、作業上の安全性も向上する。
（２）また溶接を必要としないことから、特別な教育を受けた者や経験豊富な者など特定の作業者に限定されることがなく、容易に必要数の作業者を確保することができる。
（３）さらに溶接を必要としないことから、火気を伴うことがなく、種々の施設で採用することができ、しかも稼働中の生産施設等でも採用することができる。
（４）調整装置や緊結材を用いて開口部取付体を固定することから、従来に比して容易に、しかも短期間で開口部取付体を設置することができる。
（５）調整装置を用いることによって、構造躯体に開口部取付体を固定するだけでなく、開口部取付体の位置も調整することができる。
【図面の簡単な説明】
【００２１】
【図１】(ａ)はサッシ窓を示す正面図、（ｂ）は構造躯体とその開口部を示す正面図。
【図２】(ａ)は枠によって外周が形成されるサッシ窓を示す正面図、（ｂ）は額縁によって外周が形成されるサッシ窓を示す正面図。
【図３】本願発明の第１の実施形態によって構造躯体に設置されたサッシ窓を示す正面図。
【図４】(ａ)は本願発明の第２の実施形態によって構造躯体に設置されたサッシ窓を示す正面図、（ｂ）は係止手段を説明する部分詳細断面図。
【図５】本願発明の第１の実施形態における各工程を示すステップ図。
【図６】外周枠と構造躯体の間の「調整スペース」に配置された調整装置を示す部分断面図。
【図７】（ａ）調整装置としてのパンタジャッキを示す側面図、（ｂ）調整装置としてのラボジャッキを示す側面図、（ｃ）調整装置としての油圧式ジャッキを示す側面図。
【図８】（ａ）一方向型の調整装置の第１構成体を示す側面図、（ｂ）一方向型の調整装置の第２構成体を示す側面図、（ｃ）第１構成体と第２構成体を組み合わせた一方向型の調整装置を示す側面図。
【図９】本願発明の第２の実施形態における各工程を示すステップ図。
【図１０】注入孔を具備する緊結材を示す平面図。
【図１１】直線状の躯体係止具と直線状の取付体係止具の一部を重ねて緊結した状況を示すモデル図。
【図１２】躯体係止具を構造躯体に接着固定する状況を示すモデル図。
【発明を実施するための形態】
【００２２】
本願発明の開口部取付体設置方法の実施形態の一例を、図に基づいて説明する。なお本願発明は、開口部を開閉するため（あるいは閉鎖するため）のサッシ窓や扉、シャッター、間仕切壁など種々の開口部取付体を設置する際に実施できる方法であるが、便宜上ここでは、開口部取付体がサッシ窓の例で説明する。本願発明は、図１（ａ）に示すサッシ窓１００を、図１（ｂ）に示す構造躯体２００の開口部２１０に設置する方法であり、より詳しくは、開口部２１０とサッシ窓１００（図１（ｂ）では破線で示す）との間に生じたスペースに調整装置又は係止手段を配置することでサッシ窓１００を構造躯体２００に固定する方法である。
【００２３】
ここで、図２を参照しながらサッシ窓１００について説明する。図２はサッシ窓１００の一例を示す正面図である。例えば図２（ａ）に示すサッシ窓１００は、ガラス１１０と框１２０、図示しない部品類（鍵など）からなるサッシと、このサッシの外周に取り付けられた枠１３０によって形成されている。また図２（ｂ）に示すサッシ窓１００は、サッシの外周に枠１３０が取り付けられ、さらにその枠１３０の外周に額縁１４０が取り付けられることによって形成されている。なお便宜上ここでは、サッシ窓１００の外周フレームのことを「外周枠１５０」ということとする。したがって図２（ａ）に示すサッシ窓１００は枠１３０が外周枠１５０であり、図２（ｂ）に示すサッシ窓１００は額縁１４０が外周枠１５０となる。
【００２４】
本願発明の開口部取付体設置方法は、調整装置を用いて構造躯体２００にサッシ窓１００を設置する形態（以下、「第１の実施形態」という。）と、係止手段を用いて構造躯体２００にサッシ窓１００を設置する形態（以下、「第２の実施形態」という。）に大別することができる。第１の実施形態は、図３に示すように開口部２１０とサッシ窓１００（外周枠１５０）との間に生じたスペース（以下、「調整スペース」という。）に調整装置３００を配置し、この調整装置３００を伸長することによってサッシ窓１００の位置を調整するとともに、サッシ窓１００を構造躯体２００に固定する方法である。なお、調整装置３００は、あらかじめ構造躯体２００側に固定していてもよいし、サッシ窓１００側に固定しておいてもよい。
【００２５】
一方、第２の実施形態は、図４（ａ）に示すように調整スペースに係止手段４００を配置し、この係止手段４００によってサッシ窓１００を構造躯体２００に固定する方法である。より具体的には、図４（ａ）の破線部分を拡大した図４（ｂ）に示すように、構造躯体２００に固定された躯体係止具４１０と、外周枠１５０に固定された取付体係止具４２０とを一部重ねた状態とし、緊結材４３０で躯体係止具４１０と取付体係止具４２０を緊結する（結びつける）ことによって、サッシ窓１００を構造躯体２００に固定するわけである。
【００２６】
以下、それぞれの実施形態ごとに詳しく説明していく。
【００２７】
（第１の実施形態）
図５は、本願発明の第１の実施形態における各工程を示すステップ図である。まず図５（ａ）に示すように、構造躯体２００に設けられる開口部２１０内を開放する。構造躯体２００を新設するケースでは、開口部２１０を形成した時点でその内部は開放されているが、リフォームなど開口部２１０にサッシ窓が設置されているケースでは、既設のサッシ窓を取り外すことによって開口部２１０内を開放する。
【００２８】
開口部２１０内を開放すると、図５（ｂ）に示すように、開口部２１０内にサッシ窓１００と複数の調整装置３００を配置する（開口部取付体配置工程）。ただしこの時点では、サッシ窓１００は計画位置に配置されておらず、また構造躯体２００に固定されていない。
【００２９】
調整装置３００は、図６に示すように調整スペースに収まるように、しかもサッシ窓１００の上方、下方、左方、及び右方それぞれに位置するように配置される。例えば図５（ｂ）では、サッシ窓１００の上方には２個の上側調整装置３００Ｕが配置され、サッシ窓１００の下方には２個の下側調整装置３００Ｄ、サッシ窓１００の左方には２個の左側調整装置３００Ｌ、サッシ窓１００の右方には２個の右側調整装置３００Ｒが配置されている。
【００３０】
調整装置３００は、それ自体が少なくとも伸長する機能を有する装置であり、例えば図７に示すようなジャッキを調整装置３００として利用することができる。調整装置３００は、図７や図８に示すように自ら伸長することができるもの（以下、特に「自己伸長型の調整装置３００」という。）のほか、内部にバネを有するものなど外部からの力を受けることによって伸縮する機能を有するもの（以下、特に「伸縮型の調整装置３００」という。）であってもよい。また、調整装置３００はサッシ窓１００の上方、下方、左方、及び右方それぞれに配置すると説明したが、左右あるいは上下に配置する調整装置３００は互いに同じ種類の調整装置３００を用いてもよいし、異なる種類の調整装置３００を用いてもよい。例えば、左右あるいは上下のうち一方には自己伸長型の調整装置３００を配置して、他方には伸縮型の調整装置３００を配置するなど、片方の調整装置３００で位置調整ができるようにすることもできる。図７（ａ）に示す調整装置３００は、パンタジャッキと呼ばれるジャッキであり、概ねひし形をなす４本のアーム３０２と、調整ネジ３０３を含んで構成され、さらに上部と下部にそれぞれ当接板３０１を取り付けた構成とすることもできる。このパンタジャッキは、操作する者が調整ネジ３０３を回すことによって上方のアーム３０２と下方のアーム３０２との挟角が大きくなり、これに伴って上部の当接板３０１が下部の当接板３０１から離れていき、すなわち調整装置３００が伸長するわけである。
【００３１】
図７（ｂ）に示す調整装置３００は、ラボジャッキと呼ばれるジャッキであり、複数のアーム３０２と、調整ネジ３０３を含んで構成され、さらに上部と下部にそれぞれ当接板３０１を取り付けた構成とすることもできる。またこの図に示すように、２本１組のアーム３０２によってＸ字形状の可動機構が形成され、さらにこの可動機構が複数組（図では２組）連結されて構成される。このラボジャッキは、パンタジャッキと同様、操作する者が調整ネジ３０３を回すことによって上方のアーム３０２と下方のアーム３０２との挟角が大きくなり、これに伴って上部の当接板３０１が下部の当接板３０１から離れていき、すなわち調整装置３００が伸長するわけである。なお、図７（ａ）に示すパンタジャッキと図７（ｂ）に示すラボジャッキは、調整ネジ３０３を逆方向に回すことで収縮し、また調整ネジ３０３を回さない限りその状態（伸長状態や収縮状態など）が維持される。
【００３２】
ネジ式のジャッキのほか、図７（ｃ）に示すような油圧式ジャッキを調整装置３００として利用することもできる。図７（ｃ）に示す油圧式ジャッキは、柱状（あるいは管状）の第１分割体３０４と同じく柱状（あるいは管状）の第２分割体３０５、そして第１分割体３０４に固定された当接板３０１と第２分割体３０５に固定された当接板３０１を含んで構成される。第１分割体３０４は第２分割体３０５の一部を収容できる構造となっており、油圧等を利用することによって第１分割体３０４から第２分割体３０５を出し入れすることができる。すなわちこの油圧式ジャッキは、伸び縮み（つまりジャッキアップとジャッキダウン）が可能であって、上部の当接板３０１と下部の当接板３０１の間隔が可変であり、しかも伸長状態や収縮状態などが維持される構造である。
【００３３】
また調整装置３００は、図７に示すようなジャッキを利用するほか、図８に示す構造のものを利用することもできる。図８に示す調整装置３００（以下、「一方向型の調整装置３００」という。）は、第１構成体３１０と第２構成体３２０を含んで構成されるもので、第２構成体３２０が第１構成体３１０に対して移動することによって伸長する構造である。
【００３４】
第１構成体３１０は、図８（ａ）に示すように、棒状（あるいは柱状や管状）の第１軸部材３１２と、この第１軸部材３１２の一端（以下、「起点端」という。）に固定された第１当接板３１１を含んで構成され、さらに第１軸部材３１２を収容する管状のパイプケース３１４（図では破線で示す）を含んで構成することもできる。なお、第１軸部材３１２には、複数（図では１２個）の鋸歯３１３が設けられている。一方、第２構成体３２０は、図８（ｂ）に示すように、棒状（あるいは柱状や管状）の第２軸部材３２２と、この第２軸部材３２２の一端に固定された第２当接板３２１を含んで構成される。なお、第２軸部材３２２には１個又は２個以上（図では６個）の嵌合突起３２３が設けられている。
【００３５】
図８（ｃ）に示すように、第１軸部材３１２と第２軸部材３２２が略平行（平行含む）となる姿勢でその一部どうしが重なるように、しかも第２軸部材３２２の嵌合突起３２３が第１軸部材３１２の鋸歯３１３の間に嵌合するように、第１構成体３１０と第２構成体３２０は配置される。また、第１構成体３１０がパイプケース３１４を具備する場合は、第２軸部材３２２の一部がこのパイプケース３１４内に収容される。
【００３６】
第２軸部材３２２は、第１軸部材３１２の軸方向に沿って移動するが、このとき嵌合突起３２３が、鋸歯３１３と鋸歯３１３の間に嵌合しながら移動していく。図８から分かるように鋸歯３１３は、側面視で三角形の形状とされる。より詳しくは、起点端側から他端（以下、「終点端」という。）側に向かって第１軸部材３１２から離れていくように傾斜する「斜辺」と、第１軸部材３１２に対してほぼ垂直（垂直含む）であって終点端側に位置する「垂直辺」と、第１軸部材３１２の一部である「底辺」によって形成される三角形である。このような形状にすることによって嵌合突起３２３は、終点端に近づく方向には鋸歯３１３間を移動することができるが、起点端に近づく方向にはその移動が妨げられる。つまり第２軸部材３２２は、嵌合突起３２３が複数の鋸歯３１３間を移動しながら、第１軸部材３１２に沿って終点端に近づく方向に移動することができるが、起点端に近づく方向への移動は妨げられるわけである。換言すれば一方向型の調整装置３００は、第１当接板３１１と第２当接板３２１の間隔を広げることができ、しかもその伸長状態を維持できる構造である。
【００３７】
調整装置３００を配置するにあたっては、外周枠１５０や構造躯体２００に調整装置３００を接着固定することができる。この場合、調整装置３００のうちの一方の当接板３０１（例えば第１当接板３１１）や外周枠１５０に接着剤を塗布したうえで、当接板３０１を外周枠１５０に接着固定するとよい。あるいは、調整装置３００のうちの他方の当接板３０１（例えば第２当接板３２１）や構造躯体２００に接着剤を塗布したうえで、当接板３０１を構造躯体２００に接着固定することもできるし、両方の当接板３０１（例えば第１当接板３１１と第２当接板３２１）に接着剤を塗布したうえで、当接板３０１を外周枠１５０と構造躯体２００に接着固定することもできる。例えば図５（ｂ）では、サッシ窓１００の上方に配置された上側調整装置３００Ｕが外周枠１５０に接着固定されており、サッシ窓１００の右方に配置された右側調整装置３００Ｒが構造躯体２００に接着固定されている。なお、外周枠１５０と構造躯体２００の両側から反力が得られる（突っ張り状態となる）ことから、調整装置３００は接着固定することなく配置することもできる。
【００３８】
開口部２１０内にサッシ窓１００と調整装置３００を配置すると、図５（ｃ）に示すように、計画配置となるようにサッシ窓１００の位置を調整したうえで、サッシ窓１００を構造躯体２００に固定する（開口部取付体位置調整工程）。より詳しくは、サッシ窓１００の上方に配置された上側調整装置３００Ｕとサッシ窓１００の下方に配置された下側調整装置３００Ｄをそれぞれ適宜伸長してサッシ窓１００の上下位置を調整しながら、サッシ窓１００の左方に配置された左側調整装置３００Ｌとサッシ窓１００の右方に配置された右側調整装置３００Ｒをそれぞれ適宜伸長してサッシ窓１００の左右位置を調整する。なお、上下に配置された調整装置３００のうち一方が自己伸長型の調整装置３００であって他方が伸縮型の調整装置３００である場合は、自己伸長型の調整装置３００を適宜伸長してサッシ窓１００の上下位置を調整する。また、左右に配置された調整装置３００のうち一方が自己伸長型の調整装置３００であって他方が伸縮型の調整装置３００である場合は、自己伸長型の調整装置３００を適宜伸長してサッシ窓１００の左右位置を調整する。このとき調整装置３００が当接板３０１を具備している場合は、一方の当接板３０１（例えば第１当接板３１１）を外周枠１５０に当接し、他方の当接板３０１（例えば第２当接板３２１）を構造躯体２００に当接した状態とし、２つの当接板３０１の間隔を広げることによってサッシ窓１００の位置を調整するとよい。
【００３９】
サッシ窓１００が計画配置となるまで周囲（上下左右）の調整装置３００を伸長させると、サッシ窓１００はこれらの調整装置３００から軸力を与えられ（突っ張り状態となり）、これによりサッシ窓１００構造躯体２００に固定され、図５（ｃ）に示す状態となる。なお、図５（ｃ）に示す状態でサッシ窓１００の設置を完成させてもよいし、図５（ｃ）に示す状態でモルタル等を調整スペースに間詰めしてもよい。
【００４０】
（第２の実施形態）
図９は、本願発明の第２の実施形態における各工程を示すステップ図である。ただし図９では、図４（ｂ）に示す範囲（係止手段４００の部分）のみを示しており、つまりこのステップ図では係止手段４００が緊結される状況のみを示している。まず第１の実施形態と同様、構造躯体２００に設けられる開口部２１０内を開放する（図５（ａ））。そして図９（ａ）に示すように、外周枠１５０に固定された取付体係止具４２０を、構造躯体２００に固定された躯体係止具４１０に近づけていき、図９（ｂ）に示すように、躯体係止具４１０の一部と取付体係止具４２０の一部を重ねる。このようにサッシ窓１００の周囲に固定された取付体係止具４２０と躯体係止具４１０を一部重ねることによって、サッシ窓１００を開口部２１０内の計画位置に置くことができるわけである（開口部取付体配置工程）。
【００４１】
躯体係止具４１０と取付体係止具４２０が一部重なるようにサッシ窓１００を配置すると、図９（ｃ）に示すように緊結材４３０を用いて躯体係止具４１０と取付体係止具４２０を緊結する（緊結工程）。この緊結材４３０は、所定の長さを有する紐状あるいは帯状のもので、例えば鉄筋を結束する結束バンドなどを利用することができる。
【００４２】
緊結材４３０で緊結するにあたっては、接着剤を用いて躯体係止具４１０と取付体係止具４２０を結びつけることもできる。このとき、緊結材４３０に接着剤を塗布（あるいは含浸）したうえで躯体係止具４１０と取付体係止具４２０を結びつけることもできるし、接着剤が含浸した帯状材（例えば不織布など）を躯体係止具４１０と取付体係止具４２０に巻き付けたうえでその帯状材の上から緊結材４３０で結びつけることもできるし、あるいは緊結材４３０で躯体係止具４１０と取付体係止具４２０を結びつけた後に接着剤をその緊結材４３０に含浸させる（あるいは注入する）こともできる。なお、躯体係止具４１０と取付体係止具４２０を結びつけた後の緊結材４３０に接着剤を注入するケースでは、図１０に示す緊結材４３０を利用するとよい。躯体係止具４１０と取付体係止具４２０を結びつけた後に、この緊結材４３０に設けられた注入孔４３１から接着剤を内部に注入していくわけである。もちろん、緊結材４３０に設ける注入孔４３１の形状や数は状況に応じて任意に設計することができる。
【００４３】
図４や図９に示す躯体係止具４１０と取付体係止具４２０は、それぞれ下方に曲折するフック形状としているが、これに限らず種々の形状の躯体係止具４１０と取付体係止具４２０を用いることができる。例えば図１１に示すように、直線状の躯体係止具４１０と、同じく直線状の取付体係止具４２０を用い、双方の一部を重ねたうえで緊結材４３０によって緊結することもできる。
【００４４】
取付体係止具４２０は、例えば鉄筋などを利用することができ、接着手段や溶接手段によってその一部を外周枠１５０に固定することができる。また躯体係止具４１０は、同じく鉄筋などを利用することができ、その一部を構造躯体２００内に埋設することによって固定することができる。あるいは、接着手段によって躯体係止具４１０を構造躯体２００に固定することもできる（躯体係止具固定工程）。この場合、図１２に示すようにあらかじめ構造躯体２００表面に躯体側接着面４１１を設置しておき、躯体係止具４１０が具備する係止具側接着面４１２と躯体側接着面４１１を接着固定するとよい。面状（板状）の躯体側接着面４１１の平坦面と、同じく面状（板状）の係止具側接着面４１２の平坦面のいずれか（あるいは両方）に接着剤を塗布したうえで、両者の平坦面を重ね合わせて接着固定するわけである。
【産業上の利用可能性】
【００４５】
本願発明の開口部取付体設置方法は、戸建住宅やマンションなど集合住宅といった居住用建築物や、オフィスビルあるいは店舗といった商用建築物で利用できるほか、校舎や倉庫など様々な建築物で利用することができる。また、新設（新築）の施設に限らず、リフォームを行う際にも利用することができる。
【符号の説明】
【００４６】
１００    サッシ窓
１１０    （サッシ窓の）ガラス
１２０    （サッシ窓の）框
１３０    （サッシ窓の）枠
１４０    （サッシ窓の）額縁
１５０    （サッシ窓の）外周枠
２００    構造躯体
２１０    （構造躯体の）開口部
３００    調整装置
３００Ｕ  上側調整装置
３００Ｄ  下側調整装置
３００Ｌ  左側調整装置
３００Ｒ  右側調整装置
３０１    （調整装置の）当接板
３０２    （ジャッキの）アーム
３０３    （ジャッキの）調整ネジ
３０４    （油圧式ジャッキの）第１分割体
３０５    （油圧式ジャッキの）第２分割体
３１０    （一方向型の調整装置の）第１構成体
３１１    （第１構成体の）第１当接板
３１２    （第１構成体の）第１軸部材
３１３    （第１構成体の）鋸歯
３１４    （第１構成体の）パイプケース
３２０    （一方向型の調整装置の）第２構成体
３２１    （第２構成体の）第２当接板
３２２    （第２構成体の）第２軸部材
３２３    （第２構成体の）嵌合突起
４００    係止手段
４１０    （係止手段の）躯体係止具
４１１    （係止手段の）躯体側接着面
４１２    （躯体係止具の）係止具側接着面
４２０    （係止手段の）取付体係止具
４３０    （係止手段の）緊結材
【図１】
2020200646.tif 000003
【図２】
2020200646.tif 000004
【図３】
2020200646.tif 000005
【図４】
2020200646.tif 000006
【図５】
2020200646.tif 000007
【図６】
2020200646.tif 000008
【図７】
2020200646.tif 000009
【図８】
2020200646.tif 000010
【図９】
2020200646.tif 000011
【図１０】
2020200646.tif 000012
【図１１】
2020200646.tif 000013
【図１２】
2020200646.tif 000014